(57)【特許請求の範囲】
【請求項１】
ミシン目を有するロール状に巻かれた衛生用薄葉紙を内側に収納するとともに、収納された前記衛生用薄葉紙を前記ミシン目で切り離して外側に取り出す取出部を具備する容器本体と、前記容器本体に前記取出部を開閉するように取り付けられた蓋体と、を備える衛生用薄葉紙収納容器であって、
前記取出部は、前記容器本体に前記取出部を係着させる係着部を備え、
前記係着部は、前記取出部の側面の上下方向中央部において周方向に沿って形成された括れ部を有し、前記括れ部に前記容器本体の取付口の縁が嵌め込まれて係着されており、
前記取出部を前記蓋体で閉蓋する際、前記取出部に前記蓋体が気密状態となるように接触し、
前記取出部の上面の中央には、上下方向に凹んだ凹部が備えられ、
前記凹部の底面部に、前記衛生用薄葉紙を外側に取り出す取出口が形成されており、
前記取出口が、前記取付口の縁よりも下方に位置し、
前記取出部の上面は、上方に突出する曲面形状であって、
前記蓋体は、その下面中央部が前記取出部側に突出する突出部と、当該突出部の周方向に沿って窪む蓋体凹部と、を備え、
前記取出部を前記蓋体で閉蓋する際、前記取出部の上面と前記蓋体凹部が接触し、前記蓋体の前記突出部が、前記取出部の前記凹部内における前記取出口の上方に位置することを特徴とする衛生用薄葉紙収納容器。
【請求項２】
前記係着部は、前記括れ部と、前記括れ部の上側となる上面環状部と、前記括れ部の下側となる下面環状部と、を有し、
前記上面環状部の径方向の長さと前記下面環状部の径方向の長さが、同一であることを特徴とする請求項１に記載の衛生用薄葉紙収納容器。
【請求項３】
前記係着部は、前記括れ部と、前記括れ部の上側となる上面環状部と、前記括れ部の下側となる下面環状部と、を有し、
前記上面環状部の径方向の長さと前記下面環状部の径方向の長さが、異なることを特徴とする請求項１に記載の衛生用薄葉紙収納容器。
【請求項４】
前記取出部は、前記係着部と、一又は複数の切り込みにより形成された弾性変形可能な複数の可撓部と、を備え、
前記複数の可撓部の間隙が前記取出口となって、当該取出口に前記衛生用薄葉紙を挿通させ、前記衛生用薄葉紙を外側に取り出すように構成され、
前記複数の可撓部は、先端部の厚みが基端部の厚みより薄くなっていることを特徴とする請求項１から請求項３までのいずれか一項に記載の衛生用薄葉紙収納容器。
【請求項５】
前記複数の可撓部は、先端にいくほど厚みが薄くなっていることを特徴とする請求項４に記載の衛生用薄葉紙収納容器。
【請求項６】
前記複数の可撓部は、先端部と基端部の間に段差部を備えることを特徴とする請求項４に記載の衛生用薄葉紙収納容器。
【請求項７】
前記複数の可撓部は、上下に分かれる長さの異なる複数のシートが、基端部側が厚くなるように積層された状態であることを特徴とする請求項４に記載の衛生用薄葉紙収納容器。
【発明の詳細な説明】
【技術分野】
【０００１】
本発明は、ウェットシートやウェットティッシュ等の衛生用薄葉紙を収納する衛生用薄葉紙収納容器に関する。
【背景技術】
【０００２】
従来、家屋の床やトイレ、或いは人体などを拭くための衛生用薄葉紙を収納する衛生用薄葉紙収納容器が知られている。
このような衛生用薄葉紙収納容器として、当該収納容器の取り出し口に着脱可能に取り出し孔形成部材を備え、この取り出し孔形成部材により衛生用薄葉紙に抵抗を掛けて、衛生用薄葉紙に入ったミシン目にて衛生用薄葉紙を切り離す構成のものが知られている（例えば、特許文献１参照）。
【先行技術文献】
【特許文献】
【０００３】
【特許文献１】特開２０１２−１９２９６２号公報
【発明の概要】
【発明が解決しようとする課題】
【０００４】
しかしながら、上記特許文献１の構成は、取り出し孔形成部材を取り出し口に下から嵌め込む構成であるため、取り出し孔形成部材が上方からの力で落下しやすいものであった。このため、次の衛生用薄葉紙を取り出し口から取り出し辛い場合などに衛生用薄葉紙を無理やり取り出そうとすることで取り出し孔形成部材が容器内部に落ち込み、衛生用薄葉紙が取り出し辛いものであった。
また、上記特許文献１の構成は、未使用時において蓋を閉めた状態であっても、取り出し孔形成部材と蓋との間に空間があり、衛生用薄葉紙が乾燥してしまうことがあった、
【０００５】
本発明の課題は、衛生用薄葉紙を取り出しやすく、気密性の良好な衛生用薄葉紙収納容器を提供することである。
【課題を解決するための手段】
【０００６】
上記課題を解決するために、請求項１に記載の発明は、
ミシン目を有するロール状に巻かれた衛生用薄葉紙を内側に収納するとともに、収納された前記衛生用薄葉紙を前記ミシン目で切り離して外側に取り出す取出部を具備する容器本体と、前記容器本体に前記取出部を開閉するように取り付けられた蓋体と、を備える衛生用薄葉紙収納容器であって、
前記取出部は、前記容器本体に前記取出部を係着させる係着部を備え、
前記係着部は、前記取出部の側面の上下方向中央部において周方向に沿って形成された括れ部を有し、前記括れ部に前記容器本体の取付口の縁が嵌め込まれて係着されており、
前記取出部を前記蓋体で閉蓋する際、前記取出部に前記蓋体が気密状態となるように接触し、
前記取出部の上面の中央には、上下方向に凹んだ凹部が備えられ、
前記凹部の底面部に、前記衛生用薄葉紙を外側に取り出す取出口が形成されており、
前記取出口が、前記取付口の縁よりも下方に位置し、
前記取出部の上面は、上方に突出する曲面形状であって、
前記蓋体は、その下面中央部が前記取出部側に突出する突出部と、当該突出部の周方向に沿って窪む蓋体凹部と、を備え、
前記取出部を前記蓋体で閉蓋する際、前記取出部の上面と前記蓋体凹部が接触し、前記蓋体の前記突出部が、前記取出部の前記凹部内における前記取出口の上方に位置することを特徴とする。
また、請求項２に記載の発明は、請求項１に記載の衛生用薄葉紙収納容器において、
前記係着部は、前記括れ部と、前記括れ部の上側となる上面環状部と、前記括れ部の下側となる下面環状部と、を有し、
前記上面環状部の径方向の長さと前記下面環状部の径方向の長さが、同一であることを特徴とする。
また、請求項３に記載の発明は、請求項１に記載の衛生用薄葉紙収納容器において、
前記係着部は、前記括れ部と、前記括れ部の上側となる上面環状部と、前記括れ部の下側となる下面環状部と、を有し、
前記上面環状部の径方向の長さと前記下面環状部の径方向の長さが、異なることを特徴とする。
また、請求項４に記載の発明は、請求項１から請求項３までのいずれか一項に記載の衛生用薄葉紙収納容器において、
前記取出部は、前記係着部と、一又は複数の切り込みにより形成された弾性変形可能な複数の可撓部と、を備え、
前記複数の可撓部の間隙が前記取出口となって、当該取出口に前記衛生用薄葉紙を挿通させ、前記衛生用薄葉紙を外側に取り出すように構成され、
前記複数の可撓部は、先端部の厚みが基端部の厚みより薄くなっていることを特徴とする。
また、請求項５に記載の発明は、請求項４に記載の衛生用薄葉紙収納容器において、
前記複数の可撓部は、先端にいくほど厚みが薄くなっていることを特徴とする。
また、請求項６に記載の発明は、請求項４に記載の衛生用薄葉紙収納容器において、
前記複数の可撓部は、先端部と基端部の間に段差部を備えることを特徴とする。
また、請求項７に記載の発明は、請求項４に記載の衛生用薄葉紙収納容器において、
前記複数の可撓部は、上下に分かれる長さの異なる複数のシートが、基端部側が厚くなるように積層された状態であることを特徴とする。
【発明の効果】
【００１１】
本発明によれば、衛生用薄葉紙を取り出しやすく、気密性を良好に維持することができる。
【図面の簡単な説明】
【００１２】
【図１】本実施の形態における衛生用薄葉紙収納容器を正面上方から見た斜視図である。
【図２】衛生用薄葉紙収納容器における容器本体上部の蓋を示す断面図である。
【図３】衛生用薄葉紙収納容器における取出部を示す斜視図である。
【図４】図３のＩＶ−ＩＶ線における断面図である。
【図５】取出部の好ましい形態を説明するための図である。
【図６】取出部の好ましい形態を説明するための図である。
【図７】取出部の好ましい形態を説明するための図である。
【発明を実施するための形態】
【００１３】
以下、図を参照して、本発明に係る衛生用薄葉紙収納容器の具体的な態様を詳細に説明する。ただし、発明の範囲は、図示例に限定されない。
【００１４】
図１は、本発明を適用した好適な実施形態として例示する衛生用薄葉紙収納容器１００を正面上方から見た斜視図であり、図２は、衛生用薄葉紙収納容器１００における容器本体１０１上部の蓋１０３の断面図である。また、図３は、衛生用薄葉紙収納容器１００における取出部１１０を示す斜視図であり、図４は、図３のＩＶ−ＩＶ線における断面図である。また、図５〜図７は、取出部１１０の好ましい形態を説明するための図である。
なお、図１では、ボトル１０２の下部（底部）の図示を省略している。また、図３では、小蓋１２０の突出部１２１も図示している。
【００１５】
衛生用薄葉紙収納容器１００は、図１、図２に示すように、例えば、内側にロール状の衛生用薄葉紙Ｐ（例えば、ロール状に巻かれたウェットシートやウェットティッシュ等のロールペーパー）を収納するとともに、収納された衛生用薄葉紙Ｐを外側に取り出す取出部１１０を具備する容器本体１０１と、この容器本体１０１に取出部１１０を開閉するように取り付けられた蓋体としての小蓋１２０と、を備えて構成されている。
衛生用薄葉紙収納容器１００に収納されるロール状に巻かれた衛生用薄葉紙Ｐには、長さ方向に一定間隔をおいてミシン目が施されており、そのミシン目に沿って切り離したサイズの衛生用薄葉紙Ｐを、ユーザが使用するようになっている。
なお、以下の説明では、衛生用薄葉紙収納容器１００の前後方向をＸ軸方向として、小蓋１２０が容器本体１０１（蓋１０３）に支持されている側を後側とし、その反対側を手前側とする。また、正面視にて左右方向（幅方向）をＹ軸方向とし、上下方向をＺ軸方向とする。
【００１６】
容器本体１０１は、容器本体１０１の下部をなす有底円筒形状のボトル１０２と、容器本体１０１の上部をなす蓋１０３とで構成されている。
【００１７】
ボトル１０２の上端には開口部が設けられており、このボトル１０２の上端部の外周面には、周方向に沿って雄ネジ部（図示省略）が設けられている。
このボトル１０２は、例えば、ＰＥ（ポリエチレン）やＰＰ（ポリプロピレン）、或いはＰＥＴ（ポリエチレンテレフタレート）、ＡＢＳ樹脂等から形成されている。
【００１８】
蓋１０３は、天面部１０３ａを有するとともに下端部が開放された円筒形状をなし、開放された下端部の内周面にはボトル１０２の雄ネジ部と螺合する雌ネジ部が設けられている。
この蓋１０３は、例えば、ＰＥ（ポリエチレン）やＰＰ（ポリプロピレン）、或いはＰＥＴ（ポリエチレンテレフタレート）、ＡＢＳ樹脂等から形成されている。
【００１９】
そして、容器本体１０１は、ボトル１０２と蓋１０３とが雄ネジ部と雌ネジ部を介した脱着自在な連結構造をとり、ボトル１０２に対して蓋１０３を開閉自在としているので、ボトル１０２から蓋１０３を取り外した状態で、ボトル１０２の内部に衛生用薄葉紙Ｐを収納したり、内部から衛生用薄葉紙Ｐを取り出したりすることができるようになっている。
なお、本実施形態では、衛生用薄葉紙Ｐが、上下方向（Ｚ軸方向）に沿った軸心にロール状に巻かれた状態で容器本体１０１に収納されるようになっている。
【００２０】
容器本体１０１の一部を成す蓋１０３の天面部１０３ａには、容器本体１０１の内部に収納された衛生用薄葉紙Ｐを容器本体１０１の外側に引き出すための取出部１１０と、その天面部１０３ａに回動可能に取り付けられて取出部１１０を開閉する小蓋１２０と、が設けられている。
なお、取出部１１０は、小蓋１２０より前後方向（Ｘ軸方向）手前側に設けられている。つまり、小蓋１２０は、蓋１０３の天面部１０３ａにおいて、取出部１１０の後方に回動可能に取り付けられており、その小蓋１２０は、取出部１１０に後方から覆い被さるようになっている。
【００２１】
取出部１１０は、蓋１０３の天面部１０３ａにおける凹部１０４のほぼ中央部に形成された取付口１０６に配設されている。
この取出部１１０は、例えば、シリコンゴムにより成型されてなる弾性変形可能な部材である。シリコンゴムは、耐久性に優れており、衛生用薄葉紙Ｐを詰め替えて衛生用薄葉紙収納容器１００を繰り返し使用する場合でも、取出部１１０の弾性変形性は維持されるので、長期に亘って好適に衛生用薄葉紙Ｐを取り出すことを可能にする。また、シリコンゴムは、耐薬品性に優れているので、ウェットタイプの衛生用薄葉紙Ｐに染み込まされている薬液が含有するアルコールなどによって変質してしまうことがなく、長期に亘る使用が可能になる。
なお、取出部１１０に用いる材料は、シリコンゴムであることに限らず、軟質樹脂材料であるスチレン−ブタジエン系、ポリエステル系、ポリエチレン系、ウレタン系等の熱可塑性エラストマーを使用することができる。また、その他の任意の樹脂材料で取出部１１０を形成してもよい。
【００２２】
また、取出部１１０は、図３、図４に示すように、上面視円形状、且つ側面視「エ」字状を呈している。
この取出部１１０は、取出部１１０の上面の中央が凹んだ凹部１１１と、取出部１１０の外周に設けられた係着部１１２と、凹部１１１の底面部１１１ａに形成された取出口１１３と、弾性変形可能な複数の可撓部１１４と、を有している。
【００２３】
凹部１１１は、取出部１１０の上面周縁を残すようにして、中央が上下方向に凹んだ状態に形成されたものであって、上面視円形状を呈している。凹部１１１の底面部１１１ａは平面状であって、この底面部１１１ａに取出口１１３が形成されている。
【００２４】
係着部１１２は、取出部１１０の側面のＺ方向中央部において周方向に沿って形成された径方向に凹んだ括れ部１１２ａと、括れ部１１２ａの上側となる上面環状部１１２ｂと、括れ部１１２ａの下側となる下面環状部１１２ｃと、を有している。この係着部１１２は、括れ部１１２ａに取付口１０６の縁を嵌め込んで、上面環状部１１２ｂと、下面環状部１１２ｃとで取付口１０６の縁を挟み込むようにして係着し、取出部１１０を蓋１０３に固定するようになっている。
【００２５】
なお、上面環状部１１２ｂと下面環状部１１２ｃのＹ方向の長さは、同一であっても良いし、どちらか一方を他方より長くすることとしても良い。
下面環状部１１２ｃを上面環状部１１２ｂより径を大きくする（側面視において、下面環状部１１２ｃを上面環状部１１２ｂより長くする）ことで、衛生用薄葉紙Ｐを取り出す際に取出部１１０に下方から力が加わった場合にも、取出部１１０が取付口１０６から外れ難くすることができる。一方、上面環状部１１２ｂを下面環状部１１２ｃより長くすることで、取出部１１０に上方から力が加わった際、取出部１１０を落下し難くすることができる。
【００２６】
取出口１１３は、容器本体１０１の内部に収納された衛生用薄葉紙Ｐを取り出すためのものであって、凹部１１１の底面部１１１ａに一又は複数の切り込みＳを入れることにより形成される。このとき複数の可撓部１１４も形成されることとなる。
なお、切り込みＳの全長（Ｙ方向の長さ）は、例えば、一般的なユーザの人差し指の幅以上となる１５ｍｍ程度に設定されている。
【００２７】
可撓部１１４は、取出口１１３の形成にあたって凹部１１１の底面部１１１ａに一又は複数の切り込みＳを入れた際に形成されるものである。
即ち、複数の可撓部１１４の間隙が取出口１１３であって、この複数の可撓部１１４の間隙（取出口１１３）に衛生用薄葉紙Ｐを挿通させて当該衛生用薄葉紙Ｐを引っ張ることで外側に取り出すようになっている。
このとき、可撓部１１４は、上下方向に加わる力により変形するため、衛生用薄葉紙Ｐを取り出す際に下方から加わる力で可撓部１１４が撓って衛生用薄葉紙Ｐに抵抗が掛かり、衛生用薄葉紙Ｐをミシン目で切り離し易くすることができ、同時に、復元力で次の衛生用薄葉紙Ｐを取出口１１３付近に留まらせることができるようになっている。
【００２８】
可撓部１１４の数は、例えば、図５（ａ）〜図５（ｃ）に示すように、２つから４つとすることが好ましく、図５（ｄ）〜図５（ｅ）に示すように、５つ以上とすることがより好ましい。可撓部１１４の数を５つ以上とすることで、衛生用薄葉紙Ｐに掛かる抵抗を大きくし、衛生用薄葉紙Ｐをミシン目で切り離し易くすることがより容易になる。
また、図５（ｆ）に示すように、切り込みＳを曲線状とすることで、衛生用薄葉紙Ｐに掛かる抵抗を大きくすることとしても良い。
【００２９】
また、各可撓部１１４は、先端部の厚みが基端部の厚みより薄い形状であることが好ましい。
具体的には、例えば、図６（ａ）に示すように、先端にいくほど厚みが薄くなるよう、側面視において、可撓部１１４の上面に対して下面を傾斜させた構成とすることができる。なお、側面視において、可撓部１１４の下面に対して上面を傾斜させた構成としても良い。
また、図６（ｂ）に示すように、可撓部１１４の下面において、先端部と基端部の間に段差部１１４ａを備えた構成であっても良い。なお、可撓部１１４の上面において、先端部と基端部の間に段差部１１４ａを備えた構成としても良い。
また、図６（ｃ）に示すように、各可撓部１１４を、上下に分かれる長さの異なる複数（ここでは２枚）のシート１１４１、１１４２が基端部側が厚くなるように積層された状態とした構成であっても良い。ここでは、長さの短いシート１１４２が、長さの長いシート１１４１の下側に配置されている。なお、長さの短いシート１１４２が、長さの長いシート１１４１の上側に配置されている構成であっても良い。
可撓部１１４の厚みをこのように構成することで、可撓部１１４が撓り易くなり、引き出される衛生用薄葉紙Ｐに掛かる抵抗をより大きくすることができる。
【００３０】
小蓋１２０は、例えば、蓋１０３の天面部１０３ａにＹ軸方向に沿って配された図示しない回動軸により軸支され、その天面部１０３ａに対して回動可能に配設されており、閉蓋状態と開蓋状態とに切り替えられるようになっている。
この小蓋１２０は、閉蓋状態と開蓋状態のそれぞれの配置において、それぞれ安定した状態に配されるように、例えば、可動範囲内における所定の回動角度（例えば、図２参照）よりも取出部１１０に接近された際には閉蓋状態となるように付勢され、また、上記所定の回動角度よりも取出部１１０から離間された際には開蓋状態となるように付勢されている。
【００３１】
なお、小蓋１２０は、天面部１０３ａに回動軸によって軸支されていることに限らず、例えば、蓋１０３と一体に成形されたものであってもよく、その蓋１０３の天面部１０３ａに対して、その天面部１０３ａの厚さをＹ軸方向に沿って一部薄くなる折り目を形成することにより、Ｙ軸方向に沿った折り目を軸線に折曲されるキャップとすることで、その折り目を軸心とするように回動可能にし、取出部１１０を開閉する構成としてもよい。
【００３２】
また、小蓋１２０の下面には、取出部１１０を閉蓋状態とした際に、取出部１１０の上面環状部１１２ｂと接触する突出部１２１が設けられている。
この突出部１２１は、小蓋１２０の下面から円筒環状に突設されており、取出部１１０を小蓋１２０で閉蓋する際に、上面環状部１１２ｂの外周が突出部１２１の内周と接触するように内挿されるようになっている。
小蓋１２０で取出部１１０を閉蓋した際に、上面環状部１１２ｂと突出部１２１とが嵌合されることで、気密状態となり、容器本体１０１内のウェットタイプの衛生用薄葉紙Ｐが乾燥してしまうことを防ぐことができる。
なお、上面環状部１１２ｂの上面が、突出部１２１の内側の小蓋１２０の下面と接触することで気密状態となる構成であっても良い。
【００３３】
また、取出部１１０と小蓋１２０とを気密状態とする構成は、上記したものに限定されない。
例えば、図７（ａ）に示すように、上面環状部１１２ｂの上面を上方に突出する曲面形状とし、小蓋１２０の下面は、突出部１２１を備えず、その代わりに、上面環状部１１２ｂの上面の曲面形状と接触する蓋体凹部１２２を備える構成としても良い。
また、図７（ｂ）に示すように、上面環状部１１２ｂの上面に溝部１１２ｂ１を形成し、溝部１１２ｂ１に突出部１２１が嵌め込まれることで気密状態となる構成としても良い。
【００３４】
次に、衛生用薄葉紙収納容器１００から衛生用薄葉紙Ｐを取り出す際の作用について説明する。
【００３５】
先ず、未使用状態、即ち、小蓋１２０が閉蓋状態となっている際には、小蓋１２０の突出部１２１が上面環状部１１２ｂと接触することで、気密性が保持されている。
また、内部に収納された衛生用薄葉紙Ｐの１枚目の端部は、取出部１１０の取出口１１３を挿通し、取出口１１３により保持された状態となっている。
このとき、取出口１１３が凹部１１１の底面部１１１ａに設けられていることで、取出口１１３により保持された衛生用薄葉紙Ｐが凹部１１１の内部に収納され、小蓋１２０の閉蓋を阻害することなく、小蓋１２０からのはみ出しが発生するのが防止される。
【００３６】
また、衛生用薄葉紙Ｐの使用の際には、小蓋１２０を回動させ開蓋状態とし、ユーザが取出口１１３により保持された衛生用薄葉紙Ｐを上方に引っ張ることで、衛生用薄葉紙Ｐが引き出される。
このとき、可撓部１１４の先端部が基端部より薄いので下方から加わる力で可撓部１１４が撓り易く、衛生用薄葉紙Ｐに抵抗が掛かるので、衛生用薄葉紙Ｐはミシン目で切り離されることとなる。また、次の衛生用薄葉紙Ｐには可撓部１１４の復元力が掛かるので、次の衛生用薄葉紙Ｐは取出口１１３付近に保持されることとなる。
さらに、衛生用薄葉紙Ｐの使用に際して、ユーザが取出部１１０に上方から押圧を掛けたり、衛生用薄葉紙Ｐを引き出す際に、衛生用薄葉紙Ｐにより取出部１１０に下方から力が掛かったりしても、取出部１１０は、係着部１１２の括れ部１１２ａに容器本体１０１の取付口１０６の縁を嵌め込んで、上面環状部１１２ｂと下面環状部１１２ｃとで取付口１０６の縁を挟み込むように係着している構成であるため、取付口１０６から外れ難い。
【００３７】
以上のように、本実施の形態によれば、ミシン目を有するロール状に巻かれた衛生用薄葉紙Ｐを内側に収納するとともに、収納された衛生用薄葉紙Ｐをミシン目で切り離して外側に取り出す取出部１１０を具備する容器本体１０１と、容器本体１０１に取出部１１０を開閉するように取り付けられた小蓋１２０と、を備える衛生用薄葉紙収納容器１００であって、取出部１１０は、容器本体１０１に取出部１１０を係着させる係着部１１２を備え、係着部１１２は、取出部１１０の側面の上下方向中央部において周方向に沿って形成された括れ部１１２ａを有し、括れ部１１２ａに容器本体１０１の取付口１０６の縁が嵌め込まれて係着されており、取出部１１０を小蓋１２０で閉蓋する際、取出部１１０に小蓋１２０が気密状態となるように接触する。
このため、取出部１１０に上下どちらの方向から力が掛かっても取出部１１０が外れ難く、衛生用薄葉紙Ｐを取り出し易くすることができる。
また、気密性を良好に維持することができる。
【００３８】
また、本実施の形態によれば、小蓋１２０は、その下面に円筒環状に突設された突出部１２１を備え、取出部１１０を小蓋１２０で閉蓋する際、取出部１１０の上部の外周が突出部１２１の内周と接触することで、取出部１１０に突出部１２１が嵌合する。
このため、気密性を良好に維持することができる。
【００３９】
また、本実施の形態によれば、取出部１１０の上面は、上方に突出する曲面形状であって、小蓋１２０は、その下面に蓋体凹部１２２を備え、取出部１１０を小蓋１２０で閉蓋する際、取出部１１０の上面と蓋体凹部１２２が接触する。
このため、気密性を良好に維持することができる。
【００４０】
また、本実施の形態によれば、小蓋１２０は、その下面に円筒環状に突設された突出部１２１を備え、取出部１１０は、その上面に円環状の溝部１１２ｂ１を備え、取出部１１０を小蓋１２０で閉蓋する際、取出部１１０の溝部１１２ｂ１に突出部１２１が嵌め込まれる。
このため、気密性を良好に維持することができる。
【００４１】
また、本実施の形態によれば、取出部１１０の上面の中央には、上下方向に凹んだ凹部１１１が備えられ、凹部１１１の底面部１１１ａに、衛生用薄葉紙Ｐを外側に取り出す取出口１１３が形成されている。
このため、取出口１１３により保持された衛生用薄葉紙Ｐが凹部１１１の内部に収納されるので、衛生用薄葉紙Ｐが小蓋１２０の閉蓋を阻害することなく、小蓋１２０から衛生用薄葉紙Ｐのはみ出しが発生するのを防止することができる。
【００４２】
なお、上記実施の形態では、取出部１１０の側面の上下方向中央部において、全周に亘って括れ部１１２ａが形成されている構成を例示して説明しているが（図３参照）、下面環状部１１２ｃが切欠き部を有し、括れ部１１２ａが全周ではなく周方向で断続的に形成されている構成であっても良い。このようにすることで、取出部１１０の蓋１０３への装着性を向上させることができる。
【符号の説明】
【００４３】
１００  衛生用薄葉紙収納容器
１０１  容器本体
１０２  ボトル
１０３  蓋
１０３ａ  天面部
１０４  凹部
１０６  取付口
１１０  取出部
１１１  凹部
１１１ａ  底面部
１１２  係着部
１１２ａ  括れ部
１１２ｂ  上面環状部
１１２ｂ１  溝部
１１２ｃ  下面環状部
１１３  取出口
１１４  可撓部
１１４ａ  段差部
１２０  小蓋（蓋体）
１２１  突出部
１２２  蓋体凹部
１１４１、１１４２  シート
Ｐ  衛生用薄葉紙
【図１】
0006280586.tif 000002
【図２】
0006280586.tif 000003
【図３】
0006280586.tif 000004
【図４】
0006280586.tif 000005
【図５】
0006280586.tif 000006
【図６】
0006280586.tif 000007
【図７】
0006280586.tif 000008